(57)【要約】【課題】  人の肌にうるおいを与えられ、肌の乾燥やそれに伴うかゆみを低減でき、また、部屋の維持湿度がドアや窓の開閉によって下がっても、肌にうるおいを与える効果が低下しなく、さらに、部屋の条件によって湿度が最適な湿度に到達しない場合でも、肌にうるおいを与えられる加湿器を得る。【解決手段】 室内湿度を検出する湿度センサ２、うるおい運転を指示するうるおい運転スイッチ４、肌にうるおいを与えられる湿度と時間との相関データを記憶した記憶部７、制御部８を備え、制御部８は、うるおい運転スイッチ４によってうるおい運転が指示されると、湿度センサ２検出値と記憶部７に記憶された相関データに基づき，室内の湿度を肌にうるおいを与えられる湿度で所定時間維持するように運転するとともに、記憶部７に記憶された相関データの湿度よりも所定値だけ高い湿度に自動設定して運転を行う。【選択図】  図２
2004294057.tif 000002
【特許請求の範囲】
【請求項１】
室内の湿度を検出する湿度検出手段と、うるおい運転を指示するうるおい運転指示手段と、肌にうるおいを与えられる湿度と時間との相関データを記憶した記憶部と、制御部とを備え、この制御部は、前記うるおい運転指示手段によってうるおい運転が指示されたとき、前記湿度検出手段の検出値と前記記憶部に記憶された相関データに基づき、室内の湿度を肌にうるおいを与えられる湿度で所定時間維持するように運転するとともに、前記記憶部に記憶された相関データの湿度よりも所定値だけ高い湿度を自動設定して運転することを特徴とする加湿器。
【請求項２】
室内の湿度を検出する湿度検出手段と、うるおい運転を指示するうるおい運転指示手段と、肌にうるおいを与えられる湿度と時間との相関データを記憶した記憶部と、制御部とを備え、この制御部は、前記うるおい運転指示手段によってうるおい運転が指示されたとき、前記湿度検出手段の検出値と前記記憶部に記憶された相関データに基づき、室内の湿度を肌にうるおいを与えられる湿度で所定時間維持するように運転するとともに、前記記憶部に記憶された第1条件の相関データの湿度よりも所定値だけ高い湿度を自動設定して運転し、前記記憶部に記憶された第１条件の相関データの湿度に到達しない場合でも、記憶部に記憶された第２条件の相関データの条件に到達した場合は、その到達した第２条件の相関データに基づいて運転することを特徴とする加湿器。
【発明の詳細な説明】
【技術分野】
【０００１】
本発明は、一般家庭において、室内の乾燥を防止するために使用されるヒータ加熱式等よりなる加湿器に関するものである。
【背景技術】
【０００２】
従来の加湿器には、室内の湿度に関係なく、予め設定された加湿量によって、常に一定量の加湿を行う方式のものや、湿度センサを有し、使用者が自分で好みの湿度を設定して、室内の湿度がこの設定湿度に保たれるように、自動的に加湿量を制御して運転する方式のものがある。（例えば、特許文献１参照）
【０００３】
【特許文献１】特開２００１−３３０８２号公報（第３−４頁、図１−３）
【発明の開示】
【発明が解決しようとする課題】
【０００４】
しかし、従来の加湿器では上記のように、室内の湿度に関係なく、予め設定された加湿量によって、常に一定量の加湿を行ったり、湿度センサを備えていても、使用者が自分で好みの湿度を設定して運転されるだけであり、人の肌に含まれる水分量とは関係なく運転されることが多かった。このため、肌にうるおいを与える湿度で運転されるケースは殆どなく、肌の乾燥やかゆみを抑えるなどの効果は得られなかった。
【０００５】
本発明は上記のような課題を解消するためになされたもので、人の肌にうるおいを与えられ、肌の乾燥やそれに伴うかゆみを低減でき、かつ部屋の維持湿度がドアや窓の開閉によって下がっても、肌にうるおいを与える効果が低下しない加湿器を得ることを目的とする。
また、本発明は、部屋の条件によって部屋の湿度が最適な湿度に到達しない場合でも、肌にうるおいを与える効果を得ることができる加湿器を得ることを目的とする。
【課題を解決するための手段】
【０００６】
本発明による加湿器は、室内の湿度を検出する湿度検出手段と、うるおい運転を指示するうるおい運転指示手段と、肌にうるおいを与えられる湿度と時間との相関データを記憶した記憶部と、制御部とを備え、この制御部は、前記うるおい運転指示手段によってうるおい運転が指示されたとき、前記湿度検出手段の検出値と前記記憶部に記憶された相関データに基づき、室内の湿度を肌にうるおいを与えられる湿度で所定時間維持するように運転するとともに、前記記憶部に記憶された相関データの湿度よりも所定値だけ高い湿度を自動設定して運転するものである。
【発明の効果】
【０００７】
本発明による加湿機は、室内の湿度を検出する湿度検出手段と、うるおい運転を指示するうるおい運転指示手段と、肌にうるおいを与えられる湿度と時間との相関データを記憶した記憶部と、制御部とを備え、この制御部は、前記うるおい運転指示手段によってうるおい運転が指示されたとき、前記湿度検出手段の検出値と前記記憶部に記憶された相関データに基づき、室内の湿度を肌にうるおいを与えられる湿度で所定時間維持するように運転するとともに、前記記憶部に記憶された相関データの湿度よりも所定値だけ高い湿度を自動設定して運転するようにしたので、人の肌にうるおいを与えられ、肌の乾燥やそれに伴うかゆみを低減でき、かつドアや窓の開閉によって部屋の湿度が下がっても肌にうるおいをあたえる湿度を維持しやすく、肌にうるおいを与える効果が低下しないようにできる。
【発明を実施するための最良の形態】
【０００８】
実施の形態１．
図１は本発明の実施の形態１を示す加湿器の制御ブロック図、図２は本発明の実施の形態１を示すうるおい運転時のフローチャートである。
図１において、１は加湿器の運転をオンオフする運転スイッチ、２は室内の湿度を検出する湿度センサ（湿度検出手段）、３は設定湿度を入力する湿度設定スイッチ（湿度設定手段）、４はうるおい運転を指示するためのうるおい運転スイッチ（うるおい運転指示手段）、５はマイクロコンピュータで、入力回路６、肌にうるおいを与えられる湿度と時間との相関データや運転プログラムなどを記憶した記憶部７、記憶部７のデータに基づいて全体の運転を制御する制御部８、時間をカウントするタイマー部９、出力回路１０とから構成されている。１１は運転中、必要な表示を行う表示部、１２は水蒸気を発生させるためのヒータ、１３は水蒸気を器外へ送り出すための送風ファンである。
【０００９】
図３は本発明を達成するために、雰囲気湿度と経過時間による肌に含まれる水分量を測定した実験データを示す図である。
図３の実験データによれば、湿度６０％雰囲気中では、肌の水分量は初期で５.０μＳ（マイクロジーメンスは電気伝導度を表す）、１５分後、３０分後、４５分後、６０分後のいずれにおいても肌の水分量は時間の経過に殆ど関係なくほぼ一定である。
【００１０】
しかし、湿度６３％雰囲気中では、肌の水分量は初期で６.０μＳであるが、１５分後には１０.０μＳ、３０分後には１２.２μＳ、４５分後には１２.０μＳ、６０分後には１３.０μＳとなり、肌の水分量は時間の経過とともに増加し、特に３０分経過後までの増加率が大きい。
【００１１】
また、湿度６５％雰囲気中でも、湿度６３％雰囲気中のときと同じように、肌の水分量は初期で４.６μＳであるが、１５分後には９.４μＳ、３０分後には１１.４μＳ、４５分後には１２.６μＳ、６０分後には１２.４μＳとなり、肌の水分量は時間の経過とともに増加し、３０分経過後までの増加率が大きい。
【００１２】
この実験データから、肌に与えられる水分量には、その雰囲気湿度と経過時間との間に密接な関係があり、適切な湿度と適切な時間との組み合わせが重要であり、特に時間については、あまり長い時間かけても、それ以上の効果は期待できないということが言える。
【００１３】
次に、上記実施の形態１のうるおい運転時の動作について、図２のフローチャートにより説明する。ここで、本実施の形態1では、記憶部７には、うるおい運転時の湿度と時間との相関データとして、湿度６５％で３０分間維持するデータが記憶されているものとして説明する。
【００１４】
まず、ステップＳ１で、運転スイッチ１をオンされ、続いて、ステップＳ２で、うるおい運転スイッチ４がオンされると、ステップＳ３で、制御部８はヒータ１２と送風ファン１３をオンにして、うるおい運転を開始する。
うるおい運転が開始されると、ステップＳ４で、制御部８は肌に含まれる水分量を多くする雰囲気湿度と時間との相関データとして湿度６５％、維持時間３０分を記憶部７より読み出しを行う。ステップＳ５では、湿度センサ２で室内の現在の湿度を検出する。
【００１５】
そして、ステップＳ６で、前記制御部８は、湿度センサ２の検出湿度が６５％以上か判定を行う。そして、湿度センサ２の検出湿度が６５％に達すると、タイマー部９により湿度６５％の維持時間をカウントし、３０分経過すると、ステップＳ９に進む。一方、ステップＳ６の条件が満たされるまで、すなわち、湿度６５％で３０分維持されるまでは、ステップＳ７に進む。
ステップＳ７では、前記ステップＳ４で、制御部８が記憶部７より読み出した相関データの湿度６５％よりも所定値（本例では２％）高い６７％に設定湿度を自動設定してヒータ１２のオン、オフにより水蒸気の発生量をコントロールし、送風ファン１３により発生した水蒸気は機外へ送り出される。
ステップＳ８では、表示手段１０により現在湿度や運転モードなどの表示を行う。
【００１６】
ステップＳ９では、うるおい運転スイッチ４がオフされたかどうかを判定し、うるおい運転スイッチ４がオフされると、ステップＳ１０で、うるおい運転を停止して、終了する。ステップＳ９で、うるおい運転スイッチ４がオフされなければ、ステップＳ４に戻り、ステップＳ５〜ステップＳ９の動作を繰り返し行う。
【００１７】
ここで、うるおい運転の維持湿度としては、図３に示す実験データから、湿度６３〜６７％の範囲内が最適であり、維持時間としては、湿度６３％の場合、３５〜４５分、湿度６５％の場合、２０〜３０分、湿度６７％の場合、１０〜１５分が適しているが、このうるおい運転の設定湿度と維持時間の相関データについては、所定の範囲内であれば、多少の変更は可能である。
【００１８】
上述したように、上記実施の形態１の構成によれば、人の肌にうるおいを与えられ、肌の乾燥やそれに伴うかゆみを低減でき、かつ前記記憶部７に記憶された相関データの湿度６５％よりも所定値だけ高い湿度６７％を自動設定して運転するようにしているので、ドアや窓の開閉等で部屋の湿度が急に低下した場合でも容易にうるおいを与えられる湿度以下にはなりにくく、また維持時間の計測もストップしないで続行できる。
【００１９】
実施の形態２．
次に、本発明の実施の形態２について、説明する。
図４は本発明の実施の形態２を示す加湿器のうるおい運転時のフローチャートである。なお、この実施の形態２に示す加湿器の制御ブロック図は図１と同一である。
また、本実施の形態２では、記憶部７には、うるおい運転時の複数の相関データとして、第１条件には湿度６５％で３０分間維持の相関データと、第２条件には湿度６３％で４０分維持する相関データが記憶されているものとして説明する。
【００２０】
実施の形態２の動作について、図４のフローチャートにより説明する。
ステップＳ１〜ステップＳ３までは実施の形態１と同じなので、この部分の説明は省略し、相違する部分についてのみ説明する。
【００２１】
ステップＳ４で、制御部８は第１の条件である湿度６５％で維持時間３０分の相関データを記憶部７より読み出す。ステップＳ５で、湿度センサ２により室内の現在の湿度を検出する。次に、ステップＳ６で、前記制御部８は、湿度センサ２の検出湿度が第１条件の６５％以上かどうかの判定を行う。この判定で、検出湿度が６５％以下であれば、同様にステップＳ６Ａで、湿度センサ２の検出湿度が記憶部７に記憶された第２条件の６３％以上かどうかの判定を行い、６３％以下であれば、ステップＳ７へ進む。
【００２２】
ステップＳ７では、前記ステップＳ５で、制御部８が読み出した第１条件の湿度６５％より所定値（本例では２％）高い６７％を自動設定してヒータ１２のオン、オフにより水蒸気の発生量をコントロールし、送風ファン１３により発生した水蒸気は機外へ送り出される。ステップＳ８は、表示手段１０により現在湿度や運転モードなどの表示を行う。
【００２３】
そして、ステップＳ６またはステップＳ６Ａでの判定で、湿度センサ２の検出湿度が第１条件または第２条件の６５％または６３％に達すると、タイマー部９によりそれぞれの条件の維持時間をカウントし、第１条件の６５％で３０分経過あるいは第２条件の６３％で４０分経過すると、ステップＳ９に進む。部屋の環境等の原因で雰囲気湿度がなかなか６５％に到達しない場合や、人の出入りが頻繁でドアの開閉が多い等の原因で６５％を３０分維持できない場合には、このステップＳ６Ａが有効となり、ヒータ１２が連続的に運転されるのを防止して、消費電力の浪費を抑えることができる。
【００２４】
上述したように、上記実施の形態２の構成によれば、人の肌にうるおいを与えられ、肌の乾燥やそれに伴うかゆみを低減でき、かつ前記記憶部７に記憶された第1条件の相関データの湿度６５％よりも所定値だけ高い湿度６７％を自動設定して運転し、この第１条件の相関データの湿度６５％に到達しない場合でも、第２条件の相関データである湿度６３％で維持時間４０分に到達した場合は、その到達した第２条件の相関データに基づいて運転するようにしたので、部屋の条件等によって部屋の湿度が最適な湿度に到達しない場合でも、消費電力の浪費を抑えて肌にうるおいを与える効果を得ることができる。
【００２５】
なお、上記実施の形態１及び２では、ヒータ加熱式加湿器を例に説明したが、他の方式の気化式や超音波式の加湿器でも構わない。また、時間経過と共に肌にうるおいを与えられる湿度にゆらぎを付与している場合には肌の水分量はより上昇することからさらに効果がある。
【図面の簡単な説明】
【００２６】
【図１】本発明の実施の形態１を示す加湿器の制御ブロック図である。
【図２】本発明の実施の形態１を示す加湿器のうるおい運転時のフローチャートである。
【図３】雰囲気湿度と経過時間における肌の水分量の変化を測定そた実験データを示す図である。
【図４】本発明の実施の形態２を示す加湿器のうるおい運転時のフローチャートである
【符号の説明】
【００２７】
２  湿度センサ、４  うるおい運転スイッチ、５  マイクロコンピュータ、７  記憶部、８  制御部、９  タイマー部。
【図１】
2004294057.tif 000003
【図２】
2004294057.tif 000004
【図３】
2004294057.tif 000005
【図４】
2004294057.tif 000006